(57)【特許請求の範囲】
【請求項１】
トップスウィングからフィニッシュに至る際に踏ん張り側となる足裏の支点となる領域の靴底の部位のみに密閉袋２が設けられて、その密閉袋２に手押しポンプ４により空気が注入可能となっていると共に、前記密閉袋２から解放弁５により空気が排出可能となっており、その密閉袋２に空気を注入して膨らませることにより、前記支点となる領域に対応する部位がその周囲より盛り上がり、ダウンスウィングの際、その支点の部分の持ち上がりによって踏ん張り側の足を踏ん張らせるようになり、密閉袋２から空気を抜くと、その密閉袋２のみの厚さとなるゴルフシューズ。
【請求項２】
上記手押しポンプ４と解放弁５とが舌革に埋設されていることを特徴とする請求項１に記載のゴルフシューズ。
【発明の詳細な説明】
【０００１】
【発明の属する技術分野】
この発明は、正しいスウィングが可能なゴルフシューズに関する。
【０００２】
【従来の技術】
図２（ａ）はゴルフのスウィングを行う前のアドレス時のゴルファ２０の姿勢を示したものであり、（ｂ）は、その時の足元（シューズ）を正面から観た状態を模式的に描いたものである。以下、図３にはバックスウィングの状態、図４（ａ）にはダウンスウィングに入ったときの状態、図５（ａ）はインパクトの直前の状態を示している。また、図４、図５の（ｂ）はいずれも、前記図２の（ｂ）のように、その時の、足元と地面との関係を模式的に示したものである。なお、各図は右利きのゴルファの場合を示しており、以下の説明も右利きのゴルファの場合について行う。
【０００３】
アドレスの時、前記図２に示したように、ゴルファ２０は、左右の足１１Ｌ  、１１Ｒ  とも膝１２Ｌ  、１２Ｒ  を突っ張らず、軽く内側に曲げて内ももを締めている。この時、ゴルファ２０の足裏１３Ｌ  、１３Ｒ  は、（ｂ）に示したように、左右とも地面３０に面着している。
【０００４】
そして、スウィングが始まって、図３に示すバックスウィングを経て、図示しないトップスウィングに至るまでは、右膝１２Ｒ  はアドレスの時の状態のまま軽く内側に向いているが、体重は主として右足１１Ｒ  の内側（親指１４Ｒ  側）に掛かってくる。
【０００５】
続いて、ダウンスウィングに入ると、図４（ａ）に示すように、右へ回転していた左腰が左へ戻され、心持ち上げられていた左足１１Ｌ  の踵が踏み込むように地に着いて、それと同時に肩が回転するので、右に寄っていた左膝１２Ｌ  も元の位置に戻って体重が左足１１Ｌ  に移ってくる。
【０００６】
そして、図５（ａ）に示すように、ボールにインパクトしてからフィニッシュに至るまでの流れでは、体重の殆どが左足１１Ｌ  にかかってくるので、特に、小指１５Ｌ  側の踏ん張りが必要となってくる。
【０００７】
【発明が解決しようとする課題】
ところが、シニアのゴルファの場合のように、下半身が衰えてくると、膝の支えが弱いので、特に、上記トップスウィングからインパクトに至る流れ（ダウンスウィング）の中で、体重が左足１１Ｌ  に移ってくると、図４および図５に一点鎖線で示すように、左膝１２Ｌ  が砕けるような形になり、各図（ｂ）に模式的に示すように、左足１１Ｌ  の小指１５Ｌ  側の踏ん張りが効かず、親指１４Ｌ  側が地面から浮き上がって、正しいスウィングができないことになる。
【０００８】
そこで、この発明は、特に下半身に衰えのあるシニアのゴルファの場合に、ダウンスウィングにおいて、踏ん張り側の足（右利きでは左足、左利きでは右足）が安定して地面に面着し、正しいスウィングができるようにすることにある。
【０００９】
【課題を解決するための手段】
上記課題を解決するために、この発明は、トップスウィングからフィニッシュに至る際に踏ん張り側となる足裏の支点となる領域の靴底の部位に密閉袋が設けられており、その密閉袋に対する空気の注入と排出が可能となっており、その密閉袋に空気を注入して膨らませることにより、前記支点となる領域に対応する部位がその周囲より盛り上がるようになっている構成のものとしたである。
【００１０】
このようにしたので、その密閉袋に空気を注入した状態のシューズを履けば、ダウンスウィングの際には、その密閉袋の膨らみの分、踏ん張り側となる足裏の支点の部分が持ち上げられるので、体重が移動してきても、その支点の部分の持ち上がりによって踏ん張り側の足を踏ん張らせることができ、正しいスウィングをすることができる。この支点の部位とは具体的には小指を含むその近傍の領域のことである。
【００１１】
そして、スウィングが終了した後は、密閉袋内の空気を排出すれば、密閉袋が扁平になるので、通常の歩行が可能な状態となる。
【００１２】
その空気の注入および排出の手段として、手押しポンプと解放弁をシューズに付設するようにすれば、それらの手段がシューズと別体となっているものに比べて、紛失のおそれもなく、便利で商品価値も高い。
【００１３】
その際、その手押しポンプと解放弁を舌革に埋設するようにすれば、空気を注入する際、あるいは、解放の際も、立ったままの姿勢で、例えば、ゴルフクラブの握りの先端等で、ポンプ、および、解放弁を押圧して操作できるので、腰を屈める必要がなく、楽である。
【００１４】
【発明の実施の形態】
以下、図を参照してこの発明の実施の形態を説明する。図１（ａ）は、この実施形態のゴルフシューズ１０のその特徴的要部を示すための模式図であり、（ｂ）はその側面図である。
【００１５】
図に示すように、シューズ１０の足裏に面着する中敷き１の裏の小指を含むその近傍の領域に対応する部位に、薄手のビニールで形成された密閉袋２が固着されている。この小指を含むその近傍の領域というのが、ダウンスウィングで左足に体重が掛かってきた際に、踏ん張るための支点となる領域である。
【００１６】
前記密閉袋２は、薄手のビニールの板２ａを二枚合わせて、その周囲を接着して形成したものであり、空気を注入すると、（ｂ）に一点鎖線で示したように、上下方向（厚み方向）に膨らむようになっている。この密閉袋２にビニールチューブ３の一端が接続されており、そのチューブ３の他端に、前記密閉袋２内に空気を注入する手押しポンプ４とその解放弁５とが接続されている。この手押しポンプ４と解放弁５は舌革６に埋設されている。
【００１７】
その手押しポンプ４を操作して前記密閉袋２に空気を注入してそれを膨らませた状態でシューズ１０を履くと、小指の部分が持ち上がった形になる。
【００１８】
その状態でスウィングすると、前出の図４、図５それぞれの（ｃ）に示したように、ダウンスウィングやインパクトの時に小指１５Ｌ  側に体重が移動してきても、その密閉袋２の膨らみによる小指１５Ｌ  の部分の持ち上がりによって左足１１Ｌ  （左利きの場合は右足１１Ｒ  ）を踏ん張らせることができる。従って、他の要素が揃えば、正しいスウィングをすることができる。
【００１９】
そして、スウィングが終了した後は、その手押しポンプ４の解放弁５を操作して密閉袋２から空気を抜くと、密閉袋２は、それを形成している前記二枚のビニール板２ａの厚み分だけの厚さになり、その状態でシューズ１０を履いても、普通のシューズを履いた場合と何ら変わりのない感触が得られるものとなるので、コースを回る際にも何らの支障もない。
【００２０】
なお、この実施形態では、手押しポンプ４とその解放弁５を舌革６の部分に設けたので、前記密閉袋２に空気を注入する際には、立ったままの姿勢で、ゴルフクラブの握りの先端等でその部分を押圧して空気を注入できるので楽であり、空気を抜くときも同様である。
【００２１】
また、そのような操作の際の姿勢の苦楽を厭わなければ、ポンプ４および解放弁５の配設箇所は舌革６の部分に限られることはなく、踵の部分、側面の部分、また、甲の部分等、靴のあらゆる部分に配設することが可能である。
【００２２】
【発明の効果】
この発明のゴルフシューズは上記のように構成したので、特に、シニアのゴルファのように下半身に衰えのあるゴルファの場合に、このシューズに埋設された密閉袋を膨らませて踏み込み足側の支点となる領域（小指を含むその近傍の領域）を持ち上げれば、トップスウィングからフィニッシュに至る流れの中で、踏み込み足側を安定して地面に据えることができて正しいスウィングできる。
【図面の簡単な説明】
【図１】（ａ）にこの実施形態のゴルフシューズの模式図を示し、（ｂ）にその側面を示したものである。
【図２】（ａ）にアドレスの時のゴルファの姿勢を示し、（ｂ）にその時の足元の地面との関係を模式的に示したものである。
【図３】バックスウィングの時のゴルファの姿勢を示したものである。
【図４】（ａ）にダウンスウィングの時のゴルファの姿勢を示し、（ｂ）と（ｃ）それぞれに、従来のシューズを履いてプレーした場合と、この実施形態のシューズを履いてプレーした場合の足元の、地面との関係を模式的に示したものである。
【図５】（ａ）にインパクトの時のゴルファの姿勢を示し、（ｂ）と（ｃ）それぞれに、従来のシューズを履いてプレーした場合と、この実施形態のシューズを履いてプレーした場合の足元の、地面との関係を模式的に示したものである。
【符号の説明】
１  中敷
２  密閉袋
２ａ  ビニール板
３  ビニールチューブ
４  手押しポンプ
５  解放弁
６  舌革
１０  ゴルフシューズ
１１Ｌ  、１１Ｒ    左右の足
１２Ｌ  、１２Ｒ    左右の膝
１３Ｌ  、１３Ｒ    左右の足裏
１４Ｌ  、１４Ｒ    左右の足の親指
１５Ｌ  、１５Ｒ    左右の足の小指
２０  ゴルファ
３０  地面
【図１】
0003571661.tif 000002
【図２】
0003571661.tif 000003
【図３】
0003571661.tif 000004
【図４】
0003571661.tif 000005
【図５】
0003571661.tif 000006